(57)【要約】  本開示のいくつかの実施例は、測定方法及び機器を提供する。前記測定方法は、特定のセル及び／又は特定の周波数ビンが測定条件を満たす場合、隣接セル及び／又は異周波数ビンの測定を行い、測定結果を得ること、及び、前記測定結果の内容の一部又は全部をネットワーク側に報告することを含む。【選択図】図２
2022502940.tif 000002
【特許請求の範囲】
【請求項１】
端末に用いられる測定方法であって、
特定のセル及び／又は特定の周波数ビンが測定条件を満たす場合、隣接セル及び／又は異周波数ビンの測定を行い、測定結果を得ること、及び、
前記測定結果の内容の一部又は全部をネットワーク側に報告することを含む、測定方法。
【請求項２】
前記特定のセル及び／又は特定の周波数ビンが測定条件を満たす場合、隣接セル及び／又は異周波数ビンの測定を行い、測定結果を得る前に、前記測定方法は、
前記ネットワーク側から前記測定条件を受信すること、又は、
前記ネットワーク側から測定配置及び前記測定配置に対応する測定条件を受信することをさらに含む、請求項１に記載の測定方法。
【請求項３】
前記測定条件に対応する測定範囲は、
１つ又は複数のセル、
１つ又は複数のセルパケット、
１つ又は複数の周波数ビン、
１つ又は複数の周波数範囲、
１つ又は複数の周波数ビンパケット、
１つ又は複数の周波数範囲パケット、
１つ又は複数の無線アクセス技術（ＲＡＴ）、
１つ又は複数の測定性能、
１つ又は複数のリファレンス信号、
１つ又は複数のリファレンス信号セット、及び、
１つ又は複数のビーム、のうちの少なくとも１つを含む、請求項１に記載の測定方法。
【請求項４】
前記隣接セル及び／又は異周波数ビンに対する測定は、
同一周波数の隣接セルに対する測定、
異周波数のセルに対する測定、
異無線アクセス技術（ＲＡＴ）のセルに対する測定、
予め設定されたパケット内のセルに対する測定、
予め設定されたパケット内の周波数に対する測定、
第１の予め設定された数のセルに対する測定、
第２の予め設定された数の周波数に対する測定、及び
前記測定条件を満たすセル、周波数、及び／又はＲＡＴに対する測定、のうちの１つ又は複数の組み合わせを含む、請求項１に記載の測定方法。
【請求項５】
前記同一周波数の隣接セルに対する測定は、
前記同一周波数の隣接セルにおけるリファレンス信号、リファレンス信号セット、及び／又はビームに対する測定を含み、又は
前記異周波数のセルに対する測定は、
前記異周波数のセルにおけるリファレンス信号、リファレンス信号セット、及び／又はビームに対する測定を含み、又は
前記異ＲＡＴのセルに対する測定は、
前記異ＲＡＴのセルにおけるリファレンス信号、リファレンス信号セット、及び／又はビームに対する測定を含み、又は
前記予め設定されたパケット内のセルに対する測定は、
前記予め設定されたパケット内のセルにおけるリファレンス信号、リファレンス信号セット、及び／又はビームに対する測定を含み、又は
前記予め設定されたパケット内の周波数に対する測定は、
前記予め設定されたパケット内の周波数において検出されたセルに対応するリファレンス信号、リファレンス信号セット、及び／又はビームに対する測定を含み、又は
前記測定条件を満たすＲＡＴに対する測定は、
前記測定条件を満たす前記ＲＡＴにおいて検出されたセルに対応するリファレンス信号、リファレンス信号セット、及び／又はビームに対する測定を含む、請求項４に記載の測定方法。
【請求項６】
前記測定結果の内容の一部又は全部をネットワーク側に報告することは、
前記測定結果の内容の一部又は全部が測定報告条件を満たす場合、前記測定結果の内容の一部又は全部を前記ネットワーク側に報告すること、又は
前記測定結果の内容の一部又は全部を前記ネットワーク側に周期的に報告すること、又は
報告イベントを満たす場合、前記測定結果の内容の一部又は全部を前記ネットワーク側に報告することを含む、請求項１に記載の測定方法。
【請求項７】
前記測定結果の内容の一部又は全部が測定報告条件を満たす場合、前記測定結果の内容の一部又は全部を前記ネットワーク側に報告する前に、前記測定方法は、
前記ネットワーク側から前記測定報告条件を受信すること、又は
前記ネットワーク側から測定配置及び前記測定配置に対応する測定報告条件を受信することをさらに含む、請求項６に記載の測定方法。
【請求項８】
前記測定報告条件は、
自セルの測定性能が第１の予め設定された閾値よりも大きいか、又は小さいこと、
同一周波数の隣接セルの測定性能が第２の予め設定された閾値よりも大きいか、又は小さいこと、
同一周波数の隣接セルの測定性能が第３の予め設定された閾値よりも小さいか又は大きいセルの数は、第３の予め設定された数よりも大きいこと、
同一周波数の隣接セルの測定性能が第３の予め設定された閾値よりも小さいか又は大きいセルの数は、第３の予め設定された数よりも小さいこと、
予め設定されたパケット内のセルの測定性能が第４の予め設定された閾値よりも大きいか、又は小さいこと、
予め設定されたパケット内のセルの測定性能が第５の予め設定された閾値よりも小さいか又は大きいセルの数は、第４の予め設定された数よりも大きいこと、
予め設定されたパケット内のセルの測定性能が第５の予め設定された閾値よりも小さいか又は大きいセルの数は、第４の予め設定された数よりも小さいこと、
異周波数ビンのセルの測定性能が第６の予め設定された閾値よりも大きいか、又は小さいこと、
異周波数ビンのセルの測定性能が第７の予め設定された閾値よりも小さいか又は大きいセルの数は、第５の予め設定された数よりも大きいこと、
異周波数ビンのセルの測定性能が第７の予め設定された閾値よりも小さいか又は大きいセルの数は、第５の予め設定された数よりも小さいこと、
予め設定されたパケット内の周波数ビンの測定性能が第８の予め設定された閾値よりも大きいか、又は小さいこと、
予め設定されたパケット内の周波数ビンの測定性能が第９の予め設定された閾値よりも小さいか又は大きいセルの数は、第６の予め設定された数よりも大きいこと、
予め設定されたパケット内の周波数ビンの測定性能が第９の予め設定された閾値よりも小さいか又は大きいセルの数は、第６の予め設定された数よりも小さいこと、
異ＲＡＴのセルの測定性能が第１０の予め設定された閾値よりも大きいか、又は小さいこと、
異ＲＡＴのセルの測定性能が第１１の予め設定された閾値よりも小さいか又は大きいセルの数は、第７の予め設定された数よりも大きいこと、
異ＲＡＴのセルの測定性能が第１１の予め設定された閾値よりも小さいか又は大きいセルの数は、第７の予め設定された数よりも小さいこと、
予め設定されたパケット内のＲＡＴの測定性能が第１２の予め設定された閾値よりも大きいか、又は小さいこと、
予め設定されたパケット内のＲＡＴの測定性能が第１３の予め設定された閾値よりも小さいか又は大きいセルの数は、第８の予め設定された数よりも大きいこと、及び
予め設定されたパケット内のＲＡＴの測定性能が第１３の予め設定された閾値よりも小さいか又は大きいセルの数は、第８の予め設定された数よりも小さいこと、のうちの一つ又は複数を含む、請求項７に記載の測定方法。
【請求項９】
前記測定結果の内容の一部又は全部は、
同一周波数の隣接セルの測定性能、
前記測定条件を満たす同一周波数の隣接セルの測定性能、
異周波数のセルの測定性能、
前記測定条件を満たす異周波数のセルの測定性能、
異無線アクセス技術（ＲＡＴ）のセルの測定性能、
前記測定条件を満たす異ＲＡＴのセルの測定性能、
予め設定されたパケット内のセルの測定性能、
前記測定条件を満たす予め設定されたパケット内のセルの測定性能、
予め設定されたパケット内の周波数に対応するセルの測定性能、
前記測定条件を満たす予め設定されたパケット内の周波数に対するセルの測定性能、
予め設定されたパケット内のＲＡＴに対応するセルの測定性能、及び
前記測定条件を満たす予め設定されたパケット内のＲＡＴに対応するセルの測定性能、のうちの一つ又は複数を含む、請求項１に記載の測定方法。
【請求項１０】
前記測定条件は、プロトコルによって約束されるか、又は
前記測定条件は、予め定義された条件であるか、又は
前記測定条件は、ネットワーク側によって配置される、請求項１に記載の測定方法。
【請求項１１】
特定のセル及び／又は特定の周波数ビンが測定条件を満たす場合、隣接セル及び／又は異周波数ビンの測定を行い、測定結果を得るための測定モジュールと、
前記測定結果の内容の一部又は全部をネットワーク側に報告するための報告モジュールとを含む、端末。
【請求項１２】
プロセッサと、メモリと、前記メモリに記憶され、且つ前記プロセッサ上で実行可能なプログラムとを含み、前記プログラムが前記プロセッサによって実行される時、請求項１から１０のいずれか１項に記載の測定方法のステップを実現する、端末。
【請求項１３】
コンピュータプログラムが記憶されており、前記コンピュータプログラムがプロセッサによって実行される時、請求項１から１０のいずれか１項に記載の測定方法のステップを実現する、コンピュータ可読記憶媒体。
【発明の詳細な説明】
【技術分野】
【０００１】
（関連出願の相互参照）
本出願は、２０１８年９月２６日に中国で提出された中国特許出願番号Ｎｏ．２０１８１１１２６９６２．６の優先権を主張しており、同出願の内容の全ては、ここに参照として取り込まれる。
本開示のいくつかの実施例は、通信技術分野に関し、具体的には、測定方法及び機器に関する。
【背景技術】
【０００２】
現在では、端末は、ネットワーク側によって端末に対して配置された測定配置に基づいて測定を行い、続いて測定結果を周期的に報告するか、又は、対応するイベントが満たす条件に基づいて測定報告を行う。
【０００３】
しかしながら、端末は、測定配置に対応する周波数ビンにおいて検出されたセル又は隣接セルリスト内のセルの両方で測定する必要がある。実際には、これらの測定の多くは必要ではなく、ネットワークは、一部の周波数ビンにおける一部のセルの測定結果のみを使用するため、端末の省電力に不利になる。
【発明の概要】
【発明が解決しようとする課題】
【０００４】
本開示のいくつかの実施例の１つの目的は、関連技術において測定方法が端末の省電力に不利になるという問題を解決するための測定方法及び機器を提供することである。
【課題を解決するための手段】
【０００５】
本開示のいくつかの実施例の第１の態様によれば、端末に用いられる測定方法を提供する。前記方法は、
特定のセル及び／又は特定の周波数ビンが測定条件を満たす場合、隣接セル及び／又は異周波数ビンの測定を行い、測定結果を得ること、及び、
前記測定結果の内容の一部又は全部をネットワーク側に報告することを含む。
【０００６】
本開示のいくつかの実施例の第２の態様によれば、
特定のセル及び／又は特定の周波数ビンが測定条件を満たす場合、隣接セル及び／又は異周波数ビンの測定を行い、測定結果を得るための測定モジュールと、
前記測定結果の内容の一部又は全部をネットワーク側に報告するための報告モジュールとを含む、端末をさらに提供する。
【０００７】
本開示のいくつかの実施例の第３の態様によれば、プロセッサと、メモリと、前記メモリに記憶され、且つ前記プロセッサ上で実行可能なプログラムとを含み、前記プログラムが前記プロセッサによって実行される時、第１の態様に記載の測定方法のステップを実現する、端末をさらに提供する。
【０００８】
本開示のいくつかの実施例の第４の態様によれば、コンピュータプログラムが記憶されており、前記コンピュータプログラムがプロセッサによって実行される時、第１の態様に記載の測定方法のステップを実現する、コンピュータ可読記憶媒体をさらに提供する。
【発明の効果】
【０００９】
本開示のいくつかの実施例では、端末は、測定条件を満たす場合にのみ、隣接セル及び／又は異周波数ビンの測定を行い、それにより端末（例えば静止又は低速で移動する端末）は、省電力の目的を達成する。
【００１０】
以下の選択的な実施形態の詳細な説明を読むことによって、当業者にとって、様々な他の利点及び有益点が明らかになる。添付図面は、選択的な実施形態を示すためにのみ用いられ、本開示を限定するものとはみなされない。そして、添付図面全体において、同じ部品は、同じ参照記号で表されている。
【図面の簡単な説明】
【００１１】
【図１】本開示のいくつかの実施例による無線通信システムのアーキテクチャ概略図である。
【図２】本開示のいくつかの実施例による測定方法のフローチャートである。
【図３】本開示のいくつかの実施例による端末の構造概略図のその一である。
【図４】本開示のいくつかの実施例による端末の構造概略図のその二である。
【発明を実施するための形態】
【００１２】
以下は、本開示のいくつかの実施例における添付図面を結び付けながら、本開示のいくつかの実施例における技術案を明瞭且つ完全に記述する。明らかに、記述された実施例は、本開示の一部の実施例であり、全部の実施例ではない。本開示における実施例に基づき、当業者が創造的な労力を払わない前提で得られたすべての他の実施例は、いずれも本開示の保護範囲に属する。
【００１３】
本出願の明細書と特許請求の範囲における用語である「含む」及びそれらの任意の変形は、非排除性の「含む」を意図的にカバーするものであり、例えば、一連のステップ又はユニットを含むプロセス、方法、システム、製品又は機器は、必ずしも明瞭にリストされているそれらのステップ又はユニットに限らず、明瞭にリストされていない又はそれらのプロセス、方法、製品又は機器に固有の他のステップ又はユニットを含んでもよい。なお、明細書と特許請求の範囲において使用された「及び／又は」は、接続された対象の少なくともそのうちの一つを表し、例えばＡ及び／又はＢは、単独のＡ、単独のＢ、及びＡとＢとの組み合わせの３つのケースを含むことを表す。
【００１４】
本開示のいくつかの実施例では、「例示的」又は「例えば」などの用語は、例、例証、又は説明として表すために用いられる。本開示のいくつかの実施例において、「例示的」又は「例えば」と説明される任意の実施例又は設計方案は、他の実施例又は設計方案より好ましいか、又はより優位性があると解釈されるべきではない。正確に言うと、「例示的」又は「例えば」などの用語を使用することは、関連する概念を具体的な方式で提示することを意図する。
【００１５】
本明細書で説明される技術は、長期進化型（Ｌｏｎｇ  Ｔｉｍｅ  Ｅｖｏｌｕｔｉｏｎ、ＬＴＥ）／ＬＴＥの進化（ＬＴＥ−Ａｄｖａｎｃｅｄ、ＬＴＥ−Ａ）システムに限定されず、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）、時分割多重アクセス（Ｔｉｍｅ  Ｄｉｖｉｓｉｏｎ  Ｍｕｌｔｉｐｌｅ  Ａｃｃｅｓｓ、ＴＤＭＡ）、周波数分割多重アクセス（Ｆｒｅｑｕｅｎｃｙ  Ｄｉｖｉｓｉｏｎ  Ｍｕｌｔｉｐｌｅ  Ａｃｃｅｓｓ、ＦＤＭＡ）、直交周波数分割多重アクセス（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）、単一搬送波周波数分割多重アクセス（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）、及び、例えば第５世代移動通信（５ｔｈ−ｇｅｎｅｒａｔｉｏｎ、５Ｇ）システムと後続の進化通信システムなどの他のシステムのような様々な無線通信システムにも用いることができる。
【００１６】
「システム」及び「ネットワーク」という用語は、常に交換可能に使用される。ＣＤＭＡシステムは、ＣＤＭＡ２０００、ユニバーサル地上無線アクセス（Ｕｎｉｖｅｒｓａｌ  Ｔｅｒｒｅｓｔｒｉａｌ  Ｒａｄｉｏ  Ａｃｃｅｓｓ、ＵＴＲＡ）などのような無線技術を実現することができる。ＵＴＲＡは、広帯域ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）及び他のＣＤＭＡの変形を含む。ＴＤＭＡシステムは、グローバルモバイル通信システム（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）のような無線技術を実現することができる。ＯＦＤＭＡシステムは、ウルトラモバイルブロードバンド（Ｕｌｔｒａ  Ｍｏｂｉｌｅ  Ｂｒｏａｄｂａｎｄ、ＵＭＢ）、進化型ＵＴＲＡ（Ｅｖｏｌｕｔｉｏｎ−ＵＴＲＡ、Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実現することができる。ＵＴＲＡ及びＥ−ＵＴＲＡは、ユニバーサルモバイル通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）の一部である。ＬＴＥ及びより高いレベルのＬＴＥ（例えばＬＴＥ−Ａ）は、Ｅ−ＵＴＲＡの新しいＵＭＴＳバージョンを使用する。ＵＴＲＡ、Ｅ−ＵＴＲＡ、ＵＭＴＳ、ＬＴＥ、ＬＴＥ−Ａ、及びＧＳＭは、「第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）」と呼ばれる組織からの文献に記載されている。ＣＤＭＡ２０００及びＵＭＢは、「第３世代パートナーシッププロジェクト２（３ＧＰＰ２）」と呼ばれる組織からの文献に記載されている。本明細書に記載された技術は、以上に言及されたシステム及び無線技術に用いられてもよく、他のシステム及び無線技術に用いられてもよい。
【００１７】
以下、添付図面を結び付けながら、本開示の実施例を説明する。本開示のいくつかの実施例による測定方法及び機器は、無線通信システムに応用することができる。図１を参照すると、図１は、本開示のいくつかの実施例による無線通信システムのアーキテクチャ概略図である。図１に示すように、該無線通信システムは、ネットワーク機器１０と端末とを含んでもよく、端末は、ユーザ機器（Ｕｓｅｒ  Ｅｑｕｉｐｍｅｎｔ、ＵＥ）１１と記載されてもよく、ネットワーク機器１０と通信する（シグナリングを伝送するか、又はデータを伝送する）ことができる。実際の応用では、上記各機器間の接続は、無線接続であってもよく、各機器間の接続関係を直感的に表現することを容易にするために、図１では実線で示されている。なお、上記通信システムは、複数のユーザ機器ＵＥ１１を含んでもよく、ネットワーク機器１０が複数のユーザ機器ＵＥ１１と通信することができる。
【００１８】
本開示のいくつかの実施例による端末は、携帯電話、タブレット、ノートパソコン、ウルトラモバイルパーソナルコンピュータ（Ｕｌｔｒａ−Ｍｏｂｉｌｅ  Ｐｅｒｓｏｎａｌ  Ｃｏｍｐｕｔｅｒ、ＵＭＰＣ）、ネットブック又はパーソナルデジタルアシスタント（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）、又は車載デバイスなどであってもよい。
【００１９】
本開示のいくつかの実施例によるネットワーク機器１０は、一般的に使用される基地局であってもよく、進化型基地局（ｅｖｏｌｖｅｄ  ｎｏｄｅ  ｂａｓｅ  ｓｔａｔｉｏｎ、ｅＮＢ）であってもよく、５Ｇシステムにおけるネットワーク機器（例えば、次世代基地局（ｎｅｘｔ  ｇｅｎｅｒａｔｉｏｎ  ｎｏｄｅ  ｂａｓｅ  ｓｔａｔｉｏｎ、ｇＮＢ）又は送受信ポイント（ｔｒａｎｓｍｉｓｓｉｏｎ  ａｎｄ  ｒｅｃｅｐｔｉｏｎ  ｐｏｉｎｔ、ＴＲＰ））などの機器であってもよい。
【００２０】
図２を参照すると、本開示のいくつかの実施例は、測定方法を提供する。該方法の実行主体は、端末であってもよく、具体的なステップは以下の通りである：
ステップ２０１：特定のセル及び／又は特定の周波数ビンが測定条件を満たす場合、隣接セル及び／又は異周波数ビンの測定を行い、測定結果を得る。
例示的に、端末は、１つ又は複数のセル及び／又は周波数ビンが測定条件を満たすか否かの判断に基づき、測定条件を満たすセル及び／又は周波数ビンを特定のセル及び／又は周波数ビンとして決定することができる。理解できることは、本開示のいくつかの実施例では、特定のセル及び／又は特定の周波数ビンの数とタイプを特に限定しないことである。
【００２１】
ステップ２０１：該測定結果の内容の一部又は全部をネットワーク側に報告する。
【００２２】
ここで、測定条件とは、セル及び／又は周波数ビンを測定する必要がある条件であり、ステップ２０１における、特定のセル及び／又は特定の周波数ビンが測定条件を満たすことは、特定のセル及び／又は特定の周波数ビンが測定する必要がある条件を満たすことである。無論、理解できることは、本開示のいくつかの実施例では、測定条件の具体的な内容を限定しないことである。
【００２３】
例示的に、測定条件は、
（１）自セルの測定性能が予め設定された閾値よりも大きいか、又は小さいこと、
理解できることは、自セルの測定性能が予め設定された閾値よりも大きいか、又は小さい時に、異なる測定条件に対応することができることである。そのうち、異なる測定条件は、異なる測定範囲に対応することができる。例えば、予め設定された閾値よりも大きい場合には、測定範囲又は測定量を減少させることができ、予め設定された閾値よりも小さい場合には、測定範囲又は測定量を増加させることができる。以下の状況は類似するため、ここでは再度言及しない。
（２）同一周波数の隣接セルの測定性能が予め設定された閾値よりも大きいか、又は小さいこと、
（３）同一周波数の隣接セルの測定性能が予め設定された閾値よりも小さいか又は大きいセルの数は、予め設定された数よりも大きいか、又は小さいこと、
すなわち、同一周波数の隣接セルの測定性能が予め設定された閾値よりも小さいか又は大きいセルの数は、予め設定された数よりも大きく、又は、同一周波数の隣接セルの測定性能が予め設定された閾値よりも小さいか又は大きいセルの数は、予め設定された数よりも小さい。
（４）予め設定されたパケット内のセルの測定性能が予め設定された閾値よりも大きいか、又は小さいこと、
（５）予め設定されたパケット内のセルの測定性能が予め設定された閾値よりも小さいか又は大きいセルの数は、予め設定された数よりも大きいか、又は小さいこと、
（６）異周波数ビンのセルの測定性能が予め設定された閾値よりも大きいか、又は小さいこと、
（７）異周波数ビンのセルの測定性能が予め設定された閾値よりも小さいか又は大きいセルの数は、予め設定された数よりも大きいか、又は小さいこと、
（８）予め設定されたパケット内の周波数ビンの測定性能が予め設定された閾値よりも大きいか、又は小さいこと、
（９）予め設定されたパケット内の周波数ビンの測定性能が予め設定された閾値よりも小さいか又は大きいセルの数は、予め設定された数よりも大きいか、又は小さいこと、
（１０）異無線アクセス技術（Ｒａｄｉｏ  Ａｃｃｅｓｓ  Ｔｅｃｈｎｏｌｏｇｙ、ＲＡＴ）のセルの測定性能が予め設定された閾値よりも大きいか、又は小さいこと、
（１１）異ＲＡＴのセルの測定性能が予め設定された閾値よりも小さいか又は大きいセルの数は、予め設定された数よりも大きいか、又は小さいこと、
（１２）予め設定されたパケット内のＲＡＴの測定性能が予め設定された閾値よりも大きいか、又は小さいこと、
（１３）予め設定されたパケット内のＲＡＴの測定性能が予め設定された閾値よりも小さいか又は大きいセルの数は、予め設定された数よりも大きいか、又は小さいこと、のうちのいずれか一つを含んでもよい。
【００２４】
理解できることは、本開示のいくつかの実施例における測定性能は、リファレンス信号受信パワー（Ｒｅｆｅｒｅｎｃｅ  Ｓｉｇｎａｌ  Ｒｅｃｅｉｖｉｎｇ  Ｐｏｗｅｒ、ＲＳＲＰ）、リファレンス信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）、信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、チャネル品質指標（Ｃｈａｎｎｅｌ  Ｑｕａｌｉｔｙ  Ｉｎｄｉｃａｔｉｏｎ、ＣＱＩ）などを含んでもよいことである。
【００２５】
理解できることは、本開示のいくつかの実施例におけるリファレンス信号は、同期信号（Ｓｙｎｃｈｒｏｎｉｚａｔｉｏｎ  Ｓｉｇｎａｌ  Ｂｌｏｃｋ、ＳＳＢ）、チャネル状態情報リファレンス信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）、復調リファレンス信号（Ｄｅｍｏｄｕｌａｔｉｏｎ  Ｒｅｆｅｒｅｎｃｅ  Ｓｉｇｎａｌ、ＤＭＲＳ）、又は他の新たに定義されたリファレンス信号であってもよいことである。
【００２６】
理解できることは、本開示のいくつかの実施例では、予め設定された閾値、予め設定された数、予め設定されたパケットなどの具体的な内容を限定せず、具体的な状況に応じて設置することができることである。
【００２７】
本開示のいくつかの実施例では、選択的に、前記特定のセル及び／又は特定の周波数ビンが測定条件を満たす場合、前記特定のセル及び／又は特定の周波数ビンを測定し、測定結果を得る前に、前記方法は、前記ネットワーク側から前記測定条件を受信し、又は、前記ネットワーク側から測定配置及び前記測定配置に対応する測定条件を受信し、すなわち、ネットワーク側から測定配置と測定条件を共に受信することをさらに含んでもよい。
【００２８】
本開示のいくつかの実施例では、選択的に、前記測定条件は、プロトコルによって約束されるか、又は、前記測定条件は、予め定義された条件である。
【００２９】
理解できることは、本開示のいくつかの実施例では、測定条件は、予め定義されるか、又はプロトコルによって約束されるか、又はネットワークによって配置されてもよいことである。
【００３０】
本開示のいくつかの実施例では、選択的に、異なる測定条件は、異なる測定範囲に対応することができ、これにより、各測定範囲がそれに対応する測定条件を満たすか否かを判断することができ、さらに、端末によって測定される範囲を効果的に制御し、端末の電力量を節約することができる。
【００３１】
選択的に、測定条件に対応する測定範囲は、
（１）１つ又は複数のセル、
（２）１つ又は複数のセルパケット、
（３）１つ又は複数の周波数ビン、
（４）１つ又は複数の周波数範囲、
（５）１つ又は複数の周波数ビンパケット、
（６）１つ又は複数の周波数範囲パケット、
（７）１つ又は複数の無線アクセス技術（Ｒａｄｉｏ  Ａｃｃｅｓｓ  Ｔｅｃｈｎｏｌｏｇｙ、ＲＡＴ）、
（８）１つ又は複数の測定性能、
（９）１つ又は複数のリファレンス信号（Ｒｅｆｅｒｅｎｃｅ  Ｓｉｇｎａｌ、ＲＳ）、
（１０）１つ又は複数のリファレンス信号セット（ＲＳ  ｓｅｔ）、及び、
（１１）１つ又は複数のビーム、のうちの少なくとも１つを含んでもよい。
【００３２】
例示的に、（１）測定条件Ａは、異なるセルに対応し、端末は、異なるセルに対応する測定条件Ａを測定することができる。（２）測定条件Ｂは、異なるセルパケットに対応し、端末は、異なるセルパケットに対応する測定条件Ｂを測定することができる。（３）測定条件Ｃは、異なる周波数ビン又は周波数範囲に対応し、端末は、異なる周波数ビン又は周波数範囲に対応する測定条件Ｃを測定することができる。（４）測定条件Ｄは、異なる周波数ビンパケット又は周波数範囲パケットに対応し、端末は、異なる周波数ビンパケット又は周波数範囲パケットに対応する測定条件Ｄを測定することができる。（５）測定条件Ｄは、異なるＲＡＴに対応し、端末は、異なるＲＡＴに対応する測定条件Ｄを測定することができる。（６）測定条件Ｅは、異なる測定性能（ＲＳＲＰ、ＲＳＲＱ又はＳＩＮＲ）に対応し、端末は、異なる測定性能（ＲＳＲＰ、ＲＳＲＱ又はＳＩＮＲ）に対応する測定条件Ｅを測定することができる。（７）測定条件Ｅは、異なるリファレンス信号（ＲＳ）、異なるリファレンス信号セット（ＲＳ  ｓｅｔ）、又は異なるビームに対応し、端末は、異なるリファレンス信号（ＲＳ）、異なるリファレンス信号セット（ＲＳ  ｓｅｔ）、又は異なるビームに対応する測定条件Ｅを測定することができる。
【００３３】
理解できることは、本開示のいくつかの実施例では、測定条件に対応する測定範囲内のセルの数、セルパケットの数、周波数ビン又は周波数範囲の数、周波数ビンパケット又は周波数範囲パケットの数、ＲＡＴの数、測定性能の数、リファレンス信号セットの数、ビームの数などを具体的に限定しないことである。
【００３４】
本開示のいくつかの実施例では、選択的に、隣接セル及び／又は異周波数ビンに対する測定は、
（１）同一周波数の隣接セルに対する測定、
（２）異周波数のセルに対する測定、
（３）異ＲＡＴのセルに対する測定、
（４）予め設定されたパケット内のセルに対する測定、
（５）予め設定されたパケット内の周波数に対する測定、
（６）第１の予め設定された数のセルに対する測定、
（７）第２の予め設定された数の周波数に対する測定、及び、
（８）前記測定条件を満たすセル、周波数、及び／又はＲＡＴに対する測定、のうちの一つ又は複数の組み合わせを含んでもよい。
【００３５】
理解できることは、本開示のいくつかの実施例では、第１の予め設定された数、第２の予め設定された数、及び予め設定されたパケットの具体的な内容を限定しないことである。
【００３６】
本開示のいくつかの実施例では、選択的に、隣接セル及び／又は異周波数ビンに対する測定は、自セルに対する測定をさらに含む。
【００３７】
本開示のいくつかの実施例では、選択的に、前記自セルに対する測定は、前記自セルにおけるリファレンス信号、リファレンス信号セット、及び／又はビームに対する測定を含む。
【００３８】
本開示のいくつかの実施例では、選択的に、前記同一周波数の隣接セルに対する測定は、前記同一周波数の隣接セルにおけるリファレンス信号、リファレンス信号セット、及び／又はビームに対する測定を含む。
【００３９】
本開示のいくつかの実施例では、選択的に、前記異周波数のセルに対する測定は、前記異周波数のセルにおけるリファレンス信号、リファレンス信号セット、及び／又はビームに対する測定を含む。
【００４０】
本開示のいくつかの実施例では、選択的に、前記異ＲＡＴのセルに対する測定は、前記異ＲＡＴのセルにおけるリファレンス信号、リファレンス信号セット、及び／又はビームに対する測定を含む。
【００４１】
本開示のいくつかの実施例では、選択的に、前記予め設定されたパケット内のセルに対する測定は、前記予め設定されたパケット内のセルにおけるリファレンス信号、リファレンス信号セット、及び／又はビームに対する測定を含む。
【００４２】
本開示のいくつかの実施例では、選択的に、前記予め設定されたパケット内の周波数に対する測定は、前記予め設定されたパケット内の周波数において検出されたセルに対応するリファレンス信号、リファレンス信号セット、及び／又はビームに対する測定を含む。
【００４３】
本開示のいくつかの実施例では、選択的に、前記測定条件を満たすＲＡＴに対する測定は、
前記測定条件を満たす前記ＲＡＴにおいて検出されたセルに対応するリファレンス信号、リファレンス信号セット、及び／又はビームに対する測定を含む。
【００４４】
本開示のいくつかの実施例では、選択的に、測定結果の内容の一部又は全部をネットワーク側に報告することは、
前記測定結果が測定報告条件を満たす場合、前記測定結果の内容の一部又は全部を前記ネットワーク側に報告すること、又は、
前記測定結果の内容の一部又は全部を前記ネットワーク側に周期的に報告すること、又は、
報告イベントを満たす場合、前記測定結果の内容の一部又は全部を前記ネットワーク側に報告することを含む。
【００４５】
そのうち、測定報告条件は、予め約束された測定性能がある条件を満たすと報告することであってもよい。
【００４６】
本開示のいくつかの実施例では、選択的に、前記測定結果の内容の一部又は全部が測定報告条件を満たす場合、前記測定結果の内容の一部又は全部を前記ネットワーク側に報告する前に、前記方法は、前記ネットワーク側から前記測定報告条件を受信すること、又は、前記ネットワーク側から測定配置及び前記測定配置に対応する測定報告条件を受信することをさらに含む。
【００４７】
本開示のいくつかの実施例では、選択的に、前記測定報告条件は、以下の一つ又は複数を含む。
（１）自セルの測定性能が第１の予め設定された閾値よりも大きいか、又は小さいこと、
（２）同一周波数の隣接セルの測定性能が第２の予め設定された閾値よりも大きいか、又は小さいこと、
（３）同一周波数の隣接セルの測定性能が第３の予め設定された閾値よりも小さいか又は大きいセルの数は、第３の予め設定された数よりも大きいか、又は小さいこと、
すなわち、同一周波数の隣接セルの測定性能が第３の予め設定された閾値よりも小さいか又は大きいセルの数は、第３の予め設定された数よりも大きく、又は、同一周波数の隣接セルの測定性能が第３の予め設定された閾値よりも小さいか又は大きいセルの数は、第３の予め設定された数よりも小さい。
（４）予め設定されたパケット内のセルの測定性能が第４の予め設定された閾値よりも大きいか、又は小さいこと、
（５）予め設定されたパケット内のセルの測定性能が第５の予め設定された閾値よりも小さいか又は大きいセルの数は、第４の予め設定された数よりも大きいか、又は小さいこと、
すなわち、予め設定されたパケット内のセルの測定性能が第５の予め設定された閾値よりも小さいか又は大きいセルの数は、第４の予め設定された数よりも大きく、又は、予め設定されたパケット内のセルの測定性能が第５の予め設定された閾値よりも小さいか又は大きいセルの数は、第４の予め設定された数よりも小さい。
（６）異周波数ビンのセルの測定性能が第６の予め設定された閾値よりも大きいか、又は小さいこと、
（７）異周波数ビンのセルの測定性能が第７の予め設定された閾値よりも小さいか又は大きいセルの数は、第５の予め設定された数よりも大きいか、又は小さいこと、
すなわち、異周波数ビンのセルの測定性能が第７の予め設定された閾値よりも小さいか又は大きいセルの数は、第５の予め設定された数よりも大きく、又は、異周波数ビンのセルの測定性能が第７の予め設定された閾値よりも小さいか又は大きいセルの数は、第５の予め設定された数よりも小さく、予め設定されたパケット内の周波数ビンの測定性能が第８の予め設定された閾値よりも大きいか、又は小さい。
（８）予め設定されたパケット内の周波数ビンの測定性能が第９の予め設定された閾値よりも小さいか又は大きいセルの数は、第６の予め設定された数よりも大きいか、又は小さいこと、
すなわち、予め設定されたパケット内の周波数ビンの測定性能が第９の予め設定された閾値よりも小さいか又は大きいセルの数は、第６の予め設定された数よりも大きく、又は、予め設定されたパケット内の周波数ビンの測定性能が第９の予め設定された閾値よりも小さいか又は大きいセルの数は、第６の予め設定された数よりも小さい。
（９）異ＲＡＴのセルの測定性能が第１０の予め設定された閾値よりも大きいか、又は小さいこと、
（１０）異ＲＡＴのセルの測定性能が第１１の予め設定された閾値よりも小さいか又は大きいセルの数は、第７の予め設定された数よりも大きいか、又は小さいこと、
すなわち、異ＲＡＴのセルの測定性能が第１１の予め設定された閾値よりも小さいか又は大きいセルの数は、第７の予め設定された数よりも大きく、又は、異ＲＡＴのセルの測定性能が第１１の予め設定された閾値よりも小さいか又は大きいセルの数は、第７の予め設定された数よりも小さい。
（１１）予め設定されたパケット内のＲＡＴの測定性能が第１２の予め設定された閾値よりも大きいか、又は小さいこと、
（１２）予め設定されたパケット内のＲＡＴの測定性能が第１３の予め設定された閾値よりも小さいか又は大きいセルの数は、第８の予め設定された数よりも大きいか、又は小さいこと。
すなわち、予め設定されたパケット内のＲＡＴの測定性能が第１３の予め設定された閾値よりも小さいか又は大きいセルの数は、第８の予め設定された数よりも大きく、又は、予め設定されたパケット内のＲＡＴの測定性能が第１３の予め設定された閾値よりも小さいか又は大きいセルの数は、第８の予め設定された数よりも小さい。
【００４８】
理解できることは、本開示のいくつかの実施例では、第１の予め設定された閾値、第２の予め設定された閾値、第３の予め設定された閾値、第３の予め設定された数、第４の予め設定された閾値、第５の予め設定された閾値、第４の予め設定された数、第６の予め設定された閾値、第５の予め設定された数、第７の予め設定された閾値、第８の予め設定された閾値、第９の予め設定された閾値、第６の予め設定された数、第１０の予め設定された閾値、第７の予め設定された数、第１１の予め設定された閾値、第１２の予め設定された閾値、第１３の予め設定された閾値、第８の予め設定された数の具体的な値を限定しないことである。
【００４９】
説明すべきことは、上記測定報告条件は、関連技術における測定報告イベントとは異なり、且つ両者は、重ねて使用することができることである。たとえば、測定報告イベントを満たす場合、端末は、報告をトリガーすることになる。しかし、異なる測定報告条件に基づき、異なるセル数の測定性能を報告する。
【００５０】
本開示のいくつかの実施例では、選択的に、前記測定結果の内容の一部又は全部は、
（１）同一周波数の隣接セルの測定性能、
（２）前記測定条件を満たす同一周波数の隣接セルの測定性能、
（３）異周波数のセルの測定性能、
（４）前記測定条件を満たす異周波数のセルの測定性能、
（５）異ＲＡＴのセルの測定性能、
（６）前記測定条件を満たす異ＲＡＴのセルの測定性能、
（７）予め設定されたパケット内のセルの測定性能、及び、
（８）前記測定条件を満たす予め設定されたパケット内のセルの測定性能、のうちの一つ又は複数を含む。
【００５１】
本開示のいくつかの実施例では、選択的に、前記測定結果は、自セルの測定性能をさらに含んでもよい。
【００５２】
本開示のいくつかの実施例では、端末は、測定条件を満たす場合にのみ、隣接セル及び／又は異周波数ビンの測定を行い、それにより端末（例えば静止又は低速で移動する端末）は、省電力の目的を達成する。
【００５３】
本開示のいくつかの実施例では、端末をさらに提供する。端末が問題を解決する原理は、本開示のいくつかの実施例における測定方法と類似しているため、該端末の実施は、方法の実施を参照してよく、繰り返したところは再度言及しない。
【００５４】
図３を参照すると、本開示のいくつかの実施例では、端末をさらに提供する。該端末３００は、
特定のセル及び／又は特定の周波数ビンが測定条件を満たす場合、隣接セル及び／又は異周波数ビンの測定を行い、測定結果を得るための測定モジュール３０１と、
前記測定結果の内容の一部又は全部をネットワーク側に報告するための報告モジュール３０２とを含む。
【００５５】
本開示のいくつかの実施例では、選択的に、前記端末３００は、前記ネットワーク側から前記測定条件を受信し、又は、前記ネットワーク側から測定配置及び前記測定配置に対応する測定条件を受信するための第１の受信モジュールをさらに含む。
【００５６】
本開示のいくつかの実施例では、選択的に、前記測定条件は、プロトコルによって約束されるか、又は、前記測定条件は、予め定義された条件であるか、又は、前記測定条件は、ネットワーク側によって配置される。
【００５７】
本開示のいくつかの実施例では、選択的に、前記測定条件に対応する測定範囲は、
（１）１つ又は複数のセル、
（２）１つ又は複数のセルパケット、
（３）１つ又は複数の周波数ビン、
（４）１つ又は複数の周波数範囲、
（５）１つ又は複数の周波数ビンパケット、
（６）１つ又は複数の周波数範囲パケット、
（７）１つ又は複数の無線アクセス技術（Ｒａｄｉｏ  Ａｃｃｅｓｓ  Ｔｅｃｈｎｏｌｏｇｙ、ＲＡＴ）、
（８）１つ又は複数の測定性能、
（９）１つ又は複数のリファレンス信号（Ｒｅｆｅｒｅｎｃｅ  Ｓｉｇｎａｌ、ＲＳ）、
（１０）１つ又は複数のリファレンス信号セット（ＲＳ  ｓｅｔ）、及び、
（１１）１つ又は複数のビーム、のうちの少なくとも１つを含む。
【００５８】
本開示のいくつかの実施例では、選択的に、隣接セル及び／又は異周波数ビンに対する測定は、
（１）同一周波数の隣接セルに対する測定、
（２）異周波数のセルに対する測定、
（３）異ＲＡＴのセルに対する測定、
（４）予め設定されたパケット内のセルに対する測定、
（５）予め設定されたパケット内の周波数に対する測定、
（６）第１の予め設定された数のセルに対する測定、
（７）第２の予め設定された数の周波数に対する測定、及び、
（８）前記測定条件を満たすセル、周波数、及び／又はＲＡＴに対する測定、のうちの一つ又は複数の組み合わせを含む。
【００５９】
理解できることは、本開示のいくつかの実施例では、第１の予め設定された数、第２の予め設定された数、及び予め設定されたパケットの具体的な内容を限定しないことである。
【００６０】
本開示のいくつかの実施例では、選択的に、隣接セル及び／又は異周波数ビンに対する測定は、自セルに対する測定をさらに含む。
【００６１】
本開示のいくつかの実施例では、選択的に、前記自セルに対する測定は、前記自セルにおけるリファレンス信号、リファレンス信号セット、及び／又はビームに対する測定を含む。
【００６２】
本開示のいくつかの実施例では、選択的に、前記同一周波数の隣接セルに対する測定は、前記同一周波数の隣接セルにおけるリファレンス信号、リファレンス信号セット、及び／又はビームに対する測定を含む。
【００６３】
本開示のいくつかの実施例では、選択的に、前記異周波数のセルに対する測定は、前記異周波数のセルにおけるリファレンス信号、リファレンス信号セット、及び／又はビームに対する測定を含む。
【００６４】
本開示のいくつかの実施例では、選択的に、前記異ＲＡＴのセルに対する測定は、前記異ＲＡＴのセルにおけるリファレンス信号、リファレンス信号セット、及び／又はビームに対する測定を含む。
【００６５】
本開示のいくつかの実施例では、選択的に、前記予め設定されたパケット内のセルに対する測定は、前記予め設定されたパケット内のセルにおけるリファレンス信号、リファレンス信号セット、及び／又はビームに対する測定を含む。
【００６６】
本開示のいくつかの実施例では、選択的に、前記予め設定されたパケット内の周波数に対する測定は、前記予め設定されたパケット内の周波数において検出されたセルに対応するリファレンス信号、リファレンス信号セット、及び／又はビームに対する測定を含む。
【００６７】
本開示のいくつかの実施例では、選択的に、前記測定条件を満たすＲＡＴに対する測定は、前記測定条件を満たす前記ＲＡＴにおいて検出されたセルに対応するリファレンス信号、リファレンス信号セット、及び／又はビームに対する測定を含む。
【００６８】
本開示のいくつかの実施例では、選択的に、前記報告モジュールはさらに、
前記測定結果の内容の一部又は全部が測定報告条件を満たす場合、前記測定結果の内容の一部又は全部を前記ネットワーク側に報告し、又は、
前記測定結果の内容の一部又は全部を前記ネットワーク側に周期的に報告し、又は、
報告イベントを満たす場合、前記測定結果の内容の一部又は全部を前記ネットワーク側に報告するために用いられる。
【００６９】
本開示のいくつかの実施例では、選択的に、前記端末３００は、前記ネットワーク側から前記測定報告条件を受信するため、又は、前記ネットワーク側から測定配置及び前記測定配置に対応する測定報告条件を受信するための第２の受信モジュールをさらに含む。
【００７０】
本開示のいくつかの実施例では、選択的に、前記測定報告条件は、以下の一つ又は複数を含む。
（１）自セルの測定性能が第１の予め設定された閾値よりも大きいか、又は小さいこと、
（２）同一周波数の隣接セルの測定性能が第２の予め設定された閾値よりも大きいか、又は小さいこと、
（３）同一周波数の隣接セルの測定性能が第３の予め設定された閾値よりも小さいか又は大きいセルの数は、第３の予め設定された数よりも大きいか、又は小さいこと、
すなわち、同一周波数の隣接セルの測定性能が第３の予め設定された閾値よりも小さいか又は大きいセルの数は、第３の予め設定された数よりも大きく、又は、同一周波数の隣接セルの測定性能が第３の予め設定された閾値よりも小さいか又は大きいセルの数は、第３の予め設定された数よりも小さい。
（４）予め設定されたパケット内のセルの測定性能が第４の予め設定された閾値よりも大きいか、又は小さいこと、
（５）予め設定されたパケット内のセルの測定性能が第５の予め設定された閾値よりも小さいか又は大きいセルの数は、第４の予め設定された数よりも大きいか、又は小さいこと、
すなわち、予め設定されたパケット内のセルの測定性能が第５の予め設定された閾値よりも小さいか又は大きいセルの数は、第４の予め設定された数よりも大きく、又は、予め設定されたパケット内のセルの測定性能が第５の予め設定された閾値よりも小さいか又は大きいセルの数は、第４の予め設定された数よりも小さい。
（６）異周波数ビンのセルの測定性能が第６の予め設定された閾値よりも大きいか、又は小さいこと、
（７）異周波数ビンのセルの測定性能が第７の予め設定された閾値よりも小さいか又は大きいセルの数は、第５の予め設定された数よりも大きいか、又は小さいこと、
すなわち、異周波数ビンのセルの測定性能が第７の予め設定された閾値よりも小さいか又は大きいセルの数は、第５の予め設定された数よりも大きく、又は、異周波数ビンのセルの測定性能が第７の予め設定された閾値よりも小さいか又は大きいセルの数は、第５の予め設定された数よりも小さく、予め設定されたパケット内の周波数ビンの測定性能が第８の予め設定された閾値よりも大きいか、又は小さい。
（８）予め設定されたパケット内の周波数ビンの測定性能が第９の予め設定された閾値よりも小さいか又は大きいセルの数は、第６の予め設定された数よりも大きいか、又は小さいこと、
すなわち、予め設定されたパケット内の周波数ビンの測定性能が第９の予め設定された閾値よりも小さいか又は大きいセルの数は、第６の予め設定された数よりも大きく、又は、予め設定されたパケット内の周波数ビンの測定性能が第９の予め設定された閾値よりも小さいか又は大きいセルの数は、第６の予め設定された数よりも小さい。
（９）異ＲＡＴのセルの測定性能が第１０の予め設定された閾値よりも大きいか、又は小さいこと、
（１０）異ＲＡＴのセルの測定性能が第１１の予め設定された閾値よりも小さいか又は大きいセルの数は、第７の予め設定された数よりも大きいか、又は小さいこと、
すなわち、異ＲＡＴのセルの測定性能が第１１の予め設定された閾値よりも小さいか又は大きいセルの数は、第７の予め設定された数よりも大きく、又は、異ＲＡＴのセルの測定性能が第１１の予め設定された閾値よりも小さいか又は大きいセルの数は、第７の予め設定された数よりも小さい。
（１１）予め設定されたパケット内のＲＡＴの測定性能が第１２の予め設定された閾値よりも大きいか、又は小さいこと、
（１２）予め設定されたパケット内のＲＡＴの測定性能が第１３の予め設定された閾値よりも小さいか又は大きいセルの数は、第８の予め設定された数よりも大きいか、又は小さいこと。
すなわち、予め設定されたパケット内のＲＡＴの測定性能が第１３の予め設定された閾値よりも小さいか又は大きいセルの数は、第８の予め設定された数よりも大きく、又は、予め設定されたパケット内のＲＡＴの測定性能が第１３の予め設定された閾値よりも小さいか又は大きいセルの数は、第８の予め設定された数よりも小さい。
【００７１】
本開示のいくつかの実施例では、選択的に、前記測定結果の内容の一部又は全部は、
（１）同一周波数の隣接セルの測定性能、
（２）前記測定条件を満たす同一周波数の隣接セルの測定性能、
（３）異周波数のセルの測定性能、
（４）前記測定条件を満たす異周波数のセルの測定性能、
（５）異ＲＡＴのセルの測定性能、
（６）前記測定条件を満たす異ＲＡＴのセルの測定性能、
（７）予め設定されたパケット内のセルの測定性能、及び、
（８）前記測定条件を満たす予め設定されたパケット内のセルの測定性能、のうちの１つ又は複数を含む。
【００７２】
本開示のいくつかの実施例では、選択的に、前記測定結果は、自セルの測定性能をさらに含んでもよい。
【００７３】
本開示のいくつかの実施例による端末は、上記方法の実施例を実行することができ、その実現原理及び技術的効果は類似しているため、本実施例はここで再度言及しない。
【００７４】
図４に示すように、図４に示された端末４００は、少なくとも１つのプロセッサ４０１と、メモリ４０２と、少なくとも１つのネットワークインタフェース４０４と、ユーザインタフェース４０３とを含む。端末４００内の各コンポーネントは、バスシステム４０５を介して互いに結合される。理解できることは、バスシステム４０５は、これらのコンポーネント間の接続通信を実現するために用いられることである。バスシステム４０５は、データバスのほか、電源バスと、制御バスと、状態信号バスとを含む。しかしながら、明確に説明するために、図４には、様々なバスを、バスシステム４０５として記載する。
【００７５】
ここで、ユーザインタフェース４０３は、ディスプレイ、キーボード又はクリック機器（例えば、マウス、トラックボール（ｔｒａｃｋｂａｌｌ）、タッチパッド又はタッチスクリーンなど）を含んでもよい。
【００７６】
理解できることは、本開示のいくつかの実施例におけるメモリ４０２は、揮発性メモリ又は不揮発性メモリであってもよく、又は揮発性メモリと不揮発性メモリの両方を含んでもよいことである。ここで、不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能プログラマブル読み取り専用メモリ（Ｅｒａｓａｂｌｅ  ＰＲＯＭ、ＥＰＲＯＭ）、電気的消去可能プログラマブル読み取り専用メモリ（Ｅｌｅｃｔｒｉｃａｌｌｙ  ＥＰＲＯＭ、ＥＥＰＲＯＭ）又はフラッシュメモリであってもよい。揮発性メモリは、外部キャッシュとして使用するランダムアクセスメモリ（Ｒａｎｄｏｍ  Ａｃｃｅｓｓ  Ｍｅｍｏｒｙ、ＲＡＭ）であってもよい。例示的であるが、限定的ではない説明により、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  ｒａｔｅ  ＳＤＲＡＭ、ＤＤＲＳＤＲＡＭ）、拡張型同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈｌｉｎｋ  ＤＲＡＭ、ＳＬＤＲＡＭ）、及びダイレクトランバスランダムアクセスメモリ（Ｄｉｒｅｃｔ  Ｒａｍｂｕｓ  ＲＡＭ、ＤＲＲＡＭ）のような多くの形式のＲＡＭが使用可能である。本開示のいくつかの実施例で説明されたシステム及び方法のメモリ４０２は、これら及び任意の他の適切なタイプのメモリを含むが、それらに限定されないことを意図する。
【００７７】
いくつかの実施形態では、メモリ４０２には、実行可能なモジュール又はデータ構造、又はそれらのサブセット、又はオペレーティングシステム４０２１及びアプリケーションプラグラム４０２２というそれらの拡張セットのような要素が記憶されている。
【００７８】
そのうち、オペレーティングシステム４０２１は、様々な基礎的なサービスの実現及びハードウェアに基づくタスクの処理のための、フレームワークレイヤ、コアライブラリレイヤ、ドライブレイヤなどの様々なシステムプログラムを含む。アプリケーションプラグラム４０２２は、様々なアプリケーションサービスを実現するための、メディアプレーヤ（Ｍｅｄｉａ  Ｐｌａｙｅｒ）、ブラウザ（Ｂｒｏｗｓｅｒ）などの様々なアプリケーションプログラムを含む。本開示のいくつかの実施例の方法を実現するためのプログラムは、アプリケーションプログラム４０２２に含まれてもよい。
【００７９】
本開示のいくつかの１つの実施例では、メモリ４０２に記憶されたプログラム又は指令（具体的には、アプリケーションプログラム４０２２に記憶されたプログラム又は指令であってもよい）を呼び出すことによって、実行する時に、特定のセル及び／又は特定の周波数ビンが測定条件を満たす場合、隣接セル及び／又は異周波数ビンの測定を行い、測定結果を得るステップ、及び、前記測定結果の内容の一部又は全部をネットワーク側に報告するステップを実現することができる。本開示のいくつかの実施例による端末は、上記方法の実施例を実行することができ、その実現原理及び技術的効果は類似しているため、本実施例はここで再度言及しない。
【００８０】
本開示の開示内容に説明された方法又はアルゴリズムを結び付けるステップは、ハードウェアの方式で実現されてもよく、プロセッサによってソフトウェア指令が実行される方式で実現されてもよい。ソフトウェア指令は、相応なソフトウェアモジュールで構成されてもよく、ソフトウェアモジュールは、ＲＡＭ、フラッシュメモリ、ＲＯＭ、ＥＰＲＯＭ、ＥＥＰＲＯＭ、レジスタ、ハードディスク、リムーバブルハードディスク、再生専用ディスク、又は当技術分野でよく知っている他の任意の形式の記憶媒体に格納されてもよい。例示的な記憶媒体は、プロセッサに結合されることにより、プロセッサは、該記憶媒体から情報を読み取り、且つ該記憶媒体に情報を書き込むことができる。無論、記憶媒体は、プロセッサの構成部分であってもよい。プロセッサ及び記憶媒体は、ＡＳＩＣ内に存在してもよい。また、該ＡＳＩＣは、コアネットワークインタフェース機器に存在してもよい。無論、プロセッサ及び記憶媒体は、コアネットワークインタフェース機器に、ディスクリートコンポーネントとして存在してもよい。
【００８１】
当業者が意識すべきことは、上記１つ又は複数の例では、本開示で説明された機能は、ハードウェア、ソフトウェア、ファームウェア、又はそれらの任意の組み合わせで実現されてもよい。ソフトウェアを使用して実現する場合、これらの機能を、コンピュータ可読媒体に記憶するか、又はコンピュータ可読媒体の１つ又は複数の指令又はコードとして伝送してもよい。コンピュータ可読媒体は、コンピュータ記憶媒体と、ある場所から別の場所へのコンピュータプログラムの伝送を容易にする任意の媒体を含む通信媒体とを含む。記憶媒体は、汎用又は専用コンピュータがアクセス可能な任意の利用可能な媒体であってもよい。
【００８２】
以上に記述されている発明を実施するための形態は、本開示の目的、技術的解決手段及び有益な効果についてさらに詳細に説明したが、理解すべきことは、以上に記述されているのは、本開示の発明を実施するための形態に過ぎず、本開示の保護範囲を制限するためのものではなく、本開示の技術的解決手段に基づいて行われた補正、等価代替、改良等は、いずれも、本開示の特許請求の範囲内に含まれるべきである。
【００８３】
当業者であれば分かるように、本開示のいくつかの実施例は、方法、システム、又はコンピュータプログラム製品として提供することができる。したがって、本開示のいくつかの実施例は、完全なハードウェアの実施例、完全なソフトウェアの実施例、又はソフトウェアとハードウェアを組み合わせた実施例の形態を採用してもよい。そして、本開示のいくつかの実施例は、コンピュータ利用可能なプログラムコードを含む１つ又は複数のコンピュータ利用可能な記憶媒体（磁気ディスクメモリ、ＣＤ−ＲＯＭ、光学メモリなどを含むが、それらに限定されない）上で実施されたコンピュータプログラム製品の形態を採用してもよい。
【００８４】
本開示のいくつかの実施例は、本開示のいくつかの実施例による方法、機器（システム）、及びコンピュータプログラム製品のフローチャート及び／又はブロック図を参照して説明される。理解すべきことは、フローチャート及び／又はブロック図における各フロー及び／又はブロック、ならびにフローチャート及び／又はブロック図におけるフロー及び／又はブロックの組み合わせは、コンピュータプログラム指令によって実現されてもよい。これらのコンピュータプログラム指令を、汎用コンピュータ、専用コンピュータ、組込みプロセッサ、又は他のプログラマブルデータ処理機器のプロセッサに提供することによって、１つの機械を生成することができ、それによって、コンピュータ、又は他のプログラマブルデータ処理機器のプロセッサによって実行される指令は、フローチャートの１つ又は複数のフロー、及び／又はブロック図の１つ又は複数のブロックにおいて指定された機能を実現するための装置を生成する。
【００８５】
これらのコンピュータプログラム指令は、コンピュータ又は他のプログラマブルデータ処理機器を案内して特定の方式で作動させることができるコンピュータ可読メモリに記憶されてもよい。それによって、該コンピュータ可読メモリに記憶された指令は、フローチャートの１つ又は複数のフロー、及び／又はブロック図の１つのブロック又は複数のブロックにおいて指定された機能を実現する指令装置を含む製造品を生成する。
【００８６】
これらのコンピュータプログラム指令は、コンピュータ又は他のプログラマブルデータ処理機器にロードされてもよい。それによって、コンピュータ又は他のプログラマブル機器で、一連の操作ステップを実行させて、コンピュータによって実現される処理を生成することにより、コンピュータ又は他のプログラマブル機器で実行された指令は、フローチャートの１つのフロー又は複数のフロー、及び／又はブロック図の１つのブロック又は複数のブロックにおいて指定された機能を実現するためのステップを提供する。
【００８７】
明らかに、当業者は、本開示の精神及び範囲から逸脱することなく、本開示のいくつかの実施例に対して様々な変更及び変形を行うことができる。したがって、本開示のいくつかの実施例のこれらの変更及び変形が、本開示の特許請求の範囲及び同等の技術的範囲内に属する場合、本開示は、これらの変更及び変形を含むことをさらに意図する。
【図１】
2022502940.tif 000003
【図２】
2022502940.tif 000004
【図３】
2022502940.tif 000005
【図４】
2022502940.tif 000006
【手続補正書】
【提出日】令和3年4月19日(2021.4.19)
【手続補正１】
【補正対象書類名】明細書
【補正対象項目名】００１２
【補正方法】変更
【補正の内容】
【００１２】
以下は、本開示のいくつかの実施例における添付図面を結び付けながら、本開示のいくつかの実施例における技術案を明瞭に記述する。明らかに、記述された実施例は、本開示の一部の実施例であり、全部の実施例ではない。本開示における実施例に基づき、当業者が創造的な労力を払わない前提で得られたすべての他の実施例は、いずれも本開示の保護範囲に属する。
【手続補正２】
【補正対象書類名】明細書
【補正対象項目名】００２１
【補正方法】変更
【補正の内容】
【００２１】
ステップ２０２：該測定結果の内容の一部又は全部をネットワーク側に報告する。
【手続補正３】
【補正対象書類名】明細書
【補正対象項目名】００２４
【補正方法】変更
【補正の内容】
【００２４】
理解できることは、本開示のいくつかの実施例における測定性能は、リファレンス信号受信パワー（Ｒｅｆｅｒｅｎｃｅ  Ｓｉｇｎａｌ  Ｒｅｃｅｉｖｅｄ  Ｐｏｗｅｒ、ＲＳＲＰ）、リファレンス信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）、信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、チャネル品質指標（Ｃｈａｎｎｅｌ  Ｑｕａｌｉｔｙ  Ｉｎｄｉｃａｔｉｏｎ、ＣＱＩ）などを含んでもよいことである。
【手続補正４】
【補正対象書類名】明細書
【補正対象項目名】００２９
【補正方法】変更
【補正の内容】
【００２９】
理解できることは、本開示のいくつかの実施例では、測定条件は、予め定義されるか、又はプロトコルによって約束されるか、又はネットワーク側によって配置されてもよいことである。
【手続補正５】
【補正対象書類名】明細書
【補正対象項目名】００４７
【補正方法】変更
【補正の内容】
【００４７】
本開示のいくつかの実施例では、選択的に、前記測定報告条件は、以下の一つ又は複数を含む。
（１）サービングセルの測定性能が第１の予め設定された閾値よりも大きいか、又は小さいこと、
（２）同一周波数の隣接セルの測定性能が第２の予め設定された閾値よりも大きいか、又は小さいこと、
（３）同一周波数の隣接セルの測定性能が第３の予め設定された閾値よりも小さいか又は大きいセルの数は、第３の予め設定された数よりも大きいか、又は小さいこと、
すなわち、同一周波数の隣接セルの測定性能が第３の予め設定された閾値よりも小さいか又は大きいセルの数は、第３の予め設定された数よりも大きく、又は、同一周波数の隣接セルの測定性能が第３の予め設定された閾値よりも小さいか又は大きいセルの数は、第３の予め設定された数よりも小さい。
（４）予め設定されたパケット内のセルの測定性能が第４の予め設定された閾値よりも大きいか、又は小さいこと、
（５）予め設定されたパケット内のセルの測定性能が第５の予め設定された閾値よりも小さいか又は大きいセルの数は、第４の予め設定された数よりも大きいか、又は小さいこと、
すなわち、予め設定されたパケット内のセルの測定性能が第５の予め設定された閾値よりも小さいか又は大きいセルの数は、第４の予め設定された数よりも大きく、又は、予め設定されたパケット内のセルの測定性能が第５の予め設定された閾値よりも小さいか又は大きいセルの数は、第４の予め設定された数よりも小さい。
（６）異周波数ビンのセルの測定性能が第６の予め設定された閾値よりも大きいか、又は小さいこと、
（７）異周波数ビンのセルの測定性能が第７の予め設定された閾値よりも小さいか又は大きいセルの数は、第５の予め設定された数よりも大きいか、又は小さいこと、
すなわち、異周波数ビンのセルの測定性能が第７の予め設定された閾値よりも小さいか又は大きいセルの数は、第５の予め設定された数よりも大きく、又は、異周波数ビンのセルの測定性能が第７の予め設定された閾値よりも小さいか又は大きいセルの数は、第５の予め設定された数よりも小さい。
（８）予め設定されたパケット内の周波数ビンの測定性能が第８の予め設定された閾値よりも大きいか、又は小さいこと、
（９）予め設定されたパケット内の周波数ビンの測定性能が第９の予め設定された閾値よりも小さいか又は大きいセルの数は、第６の予め設定された数よりも大きいか、又は小さいこと、
すなわち、予め設定されたパケット内の周波数ビンの測定性能が第９の予め設定された閾値よりも小さいか又は大きいセルの数は、第６の予め設定された数よりも大きく、又は、予め設定されたパケット内の周波数ビンの測定性能が第９の予め設定された閾値よりも小さいか又は大きいセルの数は、第６の予め設定された数よりも小さい。
（１０）異ＲＡＴのセルの測定性能が第１０の予め設定された閾値よりも大きいか、又は小さいこと、
（１１）異ＲＡＴのセルの測定性能が第１１の予め設定された閾値よりも小さいか又は大きいセルの数は、第７の予め設定された数よりも大きいか、又は小さいこと、
すなわち、異ＲＡＴのセルの測定性能が第１１の予め設定された閾値よりも小さいか又は大きいセルの数は、第７の予め設定された数よりも大きく、又は、異ＲＡＴのセルの測定性能が第１１の予め設定された閾値よりも小さいか又は大きいセルの数は、第７の予め設定された数よりも小さい。
（１２）予め設定されたパケット内のＲＡＴの測定性能が第１２の予め設定された閾値よりも大きいか、又は小さいこと、
（１３）予め設定されたパケット内のＲＡＴの測定性能が第１３の予め設定された閾値よりも小さいか又は大きいセルの数は、第８の予め設定された数よりも大きいか、又は小さいこと。
すなわち、予め設定されたパケット内のＲＡＴの測定性能が第１３の予め設定された閾値よりも小さいか又は大きいセルの数は、第８の予め設定された数よりも大きく、又は、予め設定されたパケット内のＲＡＴの測定性能が第１３の予め設定された閾値よりも小さいか又は大きいセルの数は、第８の予め設定された数よりも小さい。
【手続補正６】
【補正対象書類名】明細書
【補正対象項目名】００７０
【補正方法】変更
【補正の内容】
【００７０】
本開示のいくつかの実施例では、選択的に、前記測定報告条件は、以下の一つ又は複数を含む。
（１）サービングセルの測定性能が第１の予め設定された閾値よりも大きいか、又は小さいこと、
（２）同一周波数の隣接セルの測定性能が第２の予め設定された閾値よりも大きいか、又は小さいこと、
（３）同一周波数の隣接セルの測定性能が第３の予め設定された閾値よりも小さいか又は大きいセルの数は、第３の予め設定された数よりも大きいか、又は小さいこと、
すなわち、同一周波数の隣接セルの測定性能が第３の予め設定された閾値よりも小さいか又は大きいセルの数は、第３の予め設定された数よりも大きく、又は、同一周波数の隣接セルの測定性能が第３の予め設定された閾値よりも小さいか又は大きいセルの数は、第３の予め設定された数よりも小さい。
（４）予め設定されたパケット内のセルの測定性能が第４の予め設定された閾値よりも大きいか、又は小さいこと、
（５）予め設定されたパケット内のセルの測定性能が第５の予め設定された閾値よりも小さいか又は大きいセルの数は、第４の予め設定された数よりも大きいか、又は小さいこと、
すなわち、予め設定されたパケット内のセルの測定性能が第５の予め設定された閾値よりも小さいか又は大きいセルの数は、第４の予め設定された数よりも大きく、又は、予め設定されたパケット内のセルの測定性能が第５の予め設定された閾値よりも小さいか又は大きいセルの数は、第４の予め設定された数よりも小さい。
（６）異周波数ビンのセルの測定性能が第６の予め設定された閾値よりも大きいか、又は小さいこと、
（７）異周波数ビンのセルの測定性能が第７の予め設定された閾値よりも小さいか又は大きいセルの数は、第５の予め設定された数よりも大きいか、又は小さいこと、
すなわち、異周波数ビンのセルの測定性能が第７の予め設定された閾値よりも小さいか又は大きいセルの数は、第５の予め設定された数よりも大きく、又は、異周波数ビンのセルの測定性能が第７の予め設定された閾値よりも小さいか又は大きいセルの数は、第５の予め設定された数よりも小さい。
（８）予め設定されたパケット内の周波数ビンの測定性能が第８の予め設定された閾値よりも大きいか、又は小さいこと、
（９）予め設定されたパケット内の周波数ビンの測定性能が第９の予め設定された閾値よりも小さいか又は大きいセルの数は、第６の予め設定された数よりも大きいか、又は小さいこと、
すなわち、予め設定されたパケット内の周波数ビンの測定性能が第９の予め設定された閾値よりも小さいか又は大きいセルの数は、第６の予め設定された数よりも大きく、又は、予め設定されたパケット内の周波数ビンの測定性能が第９の予め設定された閾値よりも小さいか又は大きいセルの数は、第６の予め設定された数よりも小さい。
（１０）異ＲＡＴのセルの測定性能が第１０の予め設定された閾値よりも大きいか、又は小さいこと、
（１１）異ＲＡＴのセルの測定性能が第１１の予め設定された閾値よりも小さいか又は大きいセルの数は、第７の予め設定された数よりも大きいか、又は小さいこと、
すなわち、異ＲＡＴのセルの測定性能が第１１の予め設定された閾値よりも小さいか又は大きいセルの数は、第７の予め設定された数よりも大きく、又は、異ＲＡＴのセルの測定性能が第１１の予め設定された閾値よりも小さいか又は大きいセルの数は、第７の予め設定された数よりも小さい。
（１２）予め設定されたパケット内のＲＡＴの測定性能が第１２の予め設定された閾値よりも大きいか、又は小さいこと、
（１３）予め設定されたパケット内のＲＡＴの測定性能が第１３の予め設定された閾値よりも小さいか又は大きいセルの数は、第８の予め設定された数よりも大きいか、又は小さいこと。
すなわち、予め設定されたパケット内のＲＡＴの測定性能が第１３の予め設定された閾値よりも小さいか又は大きいセルの数は、第８の予め設定された数よりも大きく、又は、予め設定されたパケット内のＲＡＴの測定性能が第１３の予め設定された閾値よりも小さいか又は大きいセルの数は、第８の予め設定された数よりも小さい。
【手続補正７】
【補正対象書類名】特許請求の範囲
【補正対象項目名】全文
【補正方法】変更
【補正の内容】
【特許請求の範囲】
【請求項１】
端末に用いられる測定方法であって、
特定のセル及び／又は特定の周波数ビンが測定条件を満たす場合、隣接セル及び／又は異周波数ビンの測定を行い、測定結果を得ること、及び、
前記測定結果の内容の一部又は全部をネットワーク側に報告することを含む、測定方法。
【請求項２】
前記特定のセル及び／又は特定の周波数ビンが測定条件を満たす場合、隣接セル及び／又は異周波数ビンの測定を行い、測定結果を得る前に、前記測定方法は、
前記ネットワーク側から前記測定条件を受信すること、又は、
前記ネットワーク側から測定配置及び前記測定配置に対応する測定条件を受信することをさらに含む、請求項１に記載の測定方法。
【請求項３】
前記測定条件に対応する測定範囲は、
１つ又は複数のセル、
１つ又は複数のセルパケット、
１つ又は複数の周波数ビン、
１つ又は複数の周波数範囲、
１つ又は複数の周波数ビンパケット、
１つ又は複数の周波数範囲パケット、
１つ又は複数の無線アクセス技術（ＲＡＴ）、
１つ又は複数の測定性能、
１つ又は複数のリファレンス信号、
１つ又は複数のリファレンス信号セット、及び、
１つ又は複数のビーム、のうちの少なくとも１つを含む、請求項１に記載の測定方法。
【請求項４】
前記隣接セル及び／又は異周波数ビンに対する測定は、
同一周波数の隣接セルに対する測定、
異周波数のセルに対する測定、
異無線アクセス技術（ＲＡＴ）のセルに対する測定、
予め設定されたパケット内のセルに対する測定、
予め設定されたパケット内の周波数に対する測定、
第１の予め設定された数のセルに対する測定、
第２の予め設定された数の周波数に対する測定、及び
前記測定条件を満たすセル、周波数、及び／又はＲＡＴに対する測定、のうちの１つ又は複数の組み合わせを含む、請求項１に記載の測定方法。
【請求項５】
前記同一周波数の隣接セルに対する測定は、
前記同一周波数の隣接セルにおけるリファレンス信号、リファレンス信号セット、及び／又はビームに対する測定を含み、又は
前記異周波数のセルに対する測定は、
前記異周波数のセルにおけるリファレンス信号、リファレンス信号セット、及び／又はビームに対する測定を含み、又は
前記異ＲＡＴのセルに対する測定は、
前記異ＲＡＴのセルにおけるリファレンス信号、リファレンス信号セット、及び／又はビームに対する測定を含み、又は
前記予め設定されたパケット内のセルに対する測定は、
前記予め設定されたパケット内のセルにおけるリファレンス信号、リファレンス信号セット、及び／又はビームに対する測定を含み、又は
前記予め設定されたパケット内の周波数に対する測定は、
前記予め設定されたパケット内の周波数において検出されたセルに対応するリファレンス信号、リファレンス信号セット、及び／又はビームに対する測定を含み、又は
前記測定条件を満たすＲＡＴに対する測定は、
前記測定条件を満たす前記ＲＡＴにおいて検出されたセルに対応するリファレンス信号、リファレンス信号セット、及び／又はビームに対する測定を含む、請求項４に記載の測定方法。
【請求項６】
前記測定結果の内容の一部又は全部をネットワーク側に報告することは、
前記測定結果の内容の一部又は全部が測定報告条件を満たす場合、前記測定結果の内容の一部又は全部を前記ネットワーク側に報告すること、又は
前記測定結果の内容の一部又は全部を前記ネットワーク側に周期的に報告すること、又は
報告イベントを満たす場合、前記測定結果の内容の一部又は全部を前記ネットワーク側に報告することを含む、請求項１に記載の測定方法。
【請求項７】
前記測定結果の内容の一部又は全部が測定報告条件を満たす場合、前記測定結果の内容の一部又は全部を前記ネットワーク側に報告する前に、前記測定方法は、
前記ネットワーク側から前記測定報告条件を受信すること、又は
前記ネットワーク側から測定配置及び前記測定配置に対応する測定報告条件を受信することをさらに含む、請求項６に記載の測定方法。
【請求項８】
前記測定報告条件は、
サービングセルの測定性能が第１の予め設定された閾値よりも大きいか、又は小さいこと、
同一周波数の隣接セルの測定性能が第２の予め設定された閾値よりも大きいか、又は小さいこと、
同一周波数の隣接セルの測定性能が第３の予め設定された閾値よりも小さいか又は大きいセルの数は、第３の予め設定された数よりも大きいこと、
同一周波数の隣接セルの測定性能が第３の予め設定された閾値よりも小さいか又は大きいセルの数は、第３の予め設定された数よりも小さいこと、
予め設定されたパケット内のセルの測定性能が第４の予め設定された閾値よりも大きいか、又は小さいこと、
予め設定されたパケット内のセルの測定性能が第５の予め設定された閾値よりも小さいか又は大きいセルの数は、第４の予め設定された数よりも大きいこと、
予め設定されたパケット内のセルの測定性能が第５の予め設定された閾値よりも小さいか又は大きいセルの数は、第４の予め設定された数よりも小さいこと、
異周波数ビンのセルの測定性能が第６の予め設定された閾値よりも大きいか、又は小さいこと、
異周波数ビンのセルの測定性能が第７の予め設定された閾値よりも小さいか又は大きいセルの数は、第５の予め設定された数よりも大きいこと、
異周波数ビンのセルの測定性能が第７の予め設定された閾値よりも小さいか又は大きいセルの数は、第５の予め設定された数よりも小さいこと、
予め設定されたパケット内の周波数ビンの測定性能が第８の予め設定された閾値よりも大きいか、又は小さいこと、
予め設定されたパケット内の周波数ビンの測定性能が第９の予め設定された閾値よりも小さいか又は大きいセルの数は、第６の予め設定された数よりも大きいこと、
予め設定されたパケット内の周波数ビンの測定性能が第９の予め設定された閾値よりも小さいか又は大きいセルの数は、第６の予め設定された数よりも小さいこと、
異ＲＡＴのセルの測定性能が第１０の予め設定された閾値よりも大きいか、又は小さいこと、
異ＲＡＴのセルの測定性能が第１１の予め設定された閾値よりも小さいか又は大きいセルの数は、第７の予め設定された数よりも大きいこと、
異ＲＡＴのセルの測定性能が第１１の予め設定された閾値よりも小さいか又は大きいセルの数は、第７の予め設定された数よりも小さいこと、
予め設定されたパケット内のＲＡＴの測定性能が第１２の予め設定された閾値よりも大きいか、又は小さいこと、
予め設定されたパケット内のＲＡＴの測定性能が第１３の予め設定された閾値よりも小さいか又は大きいセルの数は、第８の予め設定された数よりも大きいこと、及び
予め設定されたパケット内のＲＡＴの測定性能が第１３の予め設定された閾値よりも小さいか又は大きいセルの数は、第８の予め設定された数よりも小さいこと、のうちの一つを含む、請求項７に記載の測定方法。
【請求項９】
前記測定結果の内容の一部又は全部は、
同一周波数の隣接セルの測定性能、
前記測定条件を満たす同一周波数の隣接セルの測定性能、
異周波数のセルの測定性能、
前記測定条件を満たす異周波数のセルの測定性能、
異無線アクセス技術（ＲＡＴ）のセルの測定性能、
前記測定条件を満たす異ＲＡＴのセルの測定性能、
予め設定されたパケット内のセルの測定性能、
前記測定条件を満たす予め設定されたパケット内のセルの測定性能、
予め設定されたパケット内の周波数に対応するセルの測定性能、
前記測定条件を満たす予め設定されたパケット内の周波数に対するセルの測定性能、
予め設定されたパケット内のＲＡＴに対応するセルの測定性能、及び
前記測定条件を満たす予め設定されたパケット内のＲＡＴに対応するセルの測定性能、のうちの一つ又は複数を含む、請求項１に記載の測定方法。
【請求項１０】
前記測定条件は、プロトコルによって約束されるか、又は
前記測定条件は、予め定義された条件であるか、又は
前記測定条件は、ネットワーク側によって配置される、請求項１に記載の測定方法。
【請求項１１】
特定のセル及び／又は特定の周波数ビンが測定条件を満たす場合、隣接セル及び／又は異周波数ビンの測定を行い、測定結果を得るための測定モジュールと、
前記測定結果の内容の一部又は全部をネットワーク側に報告するための報告モジュールとを含む、端末。
【請求項１２】
前記ネットワーク側から前記測定条件を受信し、又は、
前記ネットワーク側から測定配置及び前記測定配置に対応する測定条件を受信するための第１の受信モジュールを更に含む、請求項１１に記載の端末。
【請求項１３】
前記測定条件に対応する測定範囲は、
１つ又は複数のセル、
１つ又は複数のセルパケット、
１つ又は複数の周波数ビン、
１つ又は複数の周波数範囲、
１つ又は複数の周波数ビンパケット、
１つ又は複数の周波数範囲パケット、
１つ又は複数の無線アクセス技術（ＲＡＴ）、
１つ又は複数の測定性能、
１つ又は複数のリファレンス信号、
１つ又は複数のリファレンス信号セット、及び、
１つ又は複数のビーム、のうちの少なくとも１つを含む、請求項１１に記載の端末。
【請求項１４】
前記報告モジュールは、さらに、
前記測定結果の内容の一部又は全部が測定報告条件を満たす場合、前記測定結果の内容の一部又は全部を前記ネットワーク側に報告し、又は
前記測定結果の内容の一部又は全部を前記ネットワーク側に周期的に報告し、又は
報告イベントを満たす場合、前記測定結果の内容の一部又は全部を前記ネットワーク側に報告するために用いられる、請求項１１に記載の端末。
【請求項１５】
コンピュータプログラムが記憶されており、前記コンピュータプログラムがプロセッサによって実行される時、請求項１から１０のいずれか１項に記載の測定方法のステップを実現する、コンピュータ可読記憶媒体。
【国際調査報告】
2022502940.tif 000007
2022502940.tif 000008
2022502940.tif 000009
2022502940.tif 000010
2022502940.tif 000011
2022502940.tif 000012